(57)【特許請求の範囲】
【請求項１】
釣り糸を内部に挿通可能な中通し竿であって、
内部に糸挿通経路を有する竿体および中子竿体と、
前記竿体の外周部に形成された糸導入口と、
前記竿体内部の前記糸挿通経路に連通する一端に形成された連通口と、前記連通口の竿先側部分に設けられ前記竿体内に収納された前記中子竿体の後端を保持可能な後端保持部とを有し、前記糸導入口を覆いかつ少なくとも前記糸導入口に対向し前記糸導入口を覆う部分が透光性を有するカバー部材と、
を備えた中通し竿。
【請求項２】
前記カバー部材は、
前記糸導入口に対向する開口と、前記開口の竿尻側に配置され内部を釣り糸が挿通可能な糸案内部とを有し、前記糸導入口の周囲を覆い得る大きさのカバー本体と、
前記開口を覆うように配置された透光部材と、
を有する、請求項１に記載の中通し竿。
【請求項３】
前記透光部材は、凸レンズ状に形成された部材である、請求項２に記載の中通し竿。
【請求項４】
前記透光部材は、前記開口を覆うように滑らかなドーム状に形成されている、請求項２又は３に記載の中通し竿。
【請求項５】
前記糸案内部には、硬質セラミック製のリング部材が装着されている、請求項２から４のいずれかに記載の中通し竿。
【発明の詳細な説明】
【０００１】
【発明の属する技術分野】
本発明は、釣り竿、特に、リールからの釣り糸を内部に挿通可能な中通し竿に関する。
【０００２】
【従来の技術】
中通し竿は、竿体内部に糸挿通経路を有するとともに、手元側に糸挿通経路と外部とを連通させる糸導入口を有している。このような中通し竿では、リールからの釣り糸は、糸導入口を通して竿体内部の糸挿通経路に導入され、さらに竿体の先端側のトップガイドから外部に導出される。
【０００３】
この種の中通し竿において、スピニングリールを使用してキャストする際には、釣り糸がリールへの巻き癖により螺旋状になってリールから出ていく。この釣り糸の巻き癖を解消して釣り糸を糸導入口に導くために、巻き癖解消用の糸案内リングを竿元側に設けたカバー部材で糸導入口を覆ったものが知られている。このカバー部材には、糸導入口に対向して開口が形成されている。この開口により、たとえばワイヤ製の糸通し具を用いて糸案内リングを経て糸導入口から竿体内部に釣り糸を挿通するときやトップガイド側から糸通し具を用いて竿体内部に挿通するとき等の糸導入口の視認性を向上させることができる。
【０００４】
【発明が解決しようとする課題】
前記従来の構成では、糸通しの際の糸導入口の視認性を、開口がない場合に比べて大幅に向上させることができる。しかし、開口を設けているので、開口の縁に糸が引っ掛かって糸絡みが生じたり、開口から糸導入口を経て砂等の異物が内部に侵入し、竿体内部の糸挿通経路に付着して釣り糸の滑りを悪くする等の影響がでるおそれがある。
【０００５】
本発明の課題は、糸導入口の視認性を維持して糸絡みを発生しにくくしかつ異物を内部へ侵入しにくくすることにある。
【０００６】
【課題を解決するための手段】
発明１に係る中通し竿は、釣り糸を内部に挿通可能な竿であって、内部に糸挿通経路を有する竿体および中子竿体と、糸導入口と、カバー部材とを備えている。糸導入口は、竿体の外周部に形成されている。カバー部材は、竿体内部の糸挿通経路に連通する一端に形成された連通口と、連通口の竿先側部分に設けられ竿体内に収納された中子竿体の後端を保持可能な後端保持部とを有し、糸導入口を覆いかつ少なくとも糸導入口に対向し糸導入口を覆う部分が透光性を有する部材である。
【０００７】
この中通し竿では、リールから繰り出された釣り糸は、カバー部材から糸導入口に案内され竿体内部の糸挿通路に導入される。ここで、カバー部材の少なくとも糸導入口に対向し糸導入口を覆う部分が透光性を有しているため、糸導入口の視認性は維持される。しかも、糸導入口がカバー部材で覆われているので、カバー部材を滑らかに構成することで糸絡みが生じにくくなり、かつ異物が内部に侵入しにくくなる。
【０００８】
発明２に係る中通し竿は、発明１に記載の竿において、カバー部材は、糸導入口に対向する開口と、開口の竿尻側に配置され内部を釣り糸が挿通可能な糸案内部とを有し、糸導入口の周囲を覆い得る大きさのカバー本体と、開口を覆うように配置された透光部材とを有する。この場合には、糸案内部で釣り糸の巻き癖が解消され糸導入口に案内される。また、糸通し具を用いて釣り糸を内部に挿通させる際に、透光部材で開口が覆われているので糸導入口を確実に視認できる。
【０００９】
発明３に係る中通し竿は、発明２に記載の竿において、透光部材は、凸レンズ状に形成された部材である。この場合には、透光部材を通して糸導入口が拡大されるので、糸導入口の視認性がさらに向上する。
発明４に係る中通し竿は、発明２又は３に記載の竿において、透光部材は、開口を覆うように滑らかなドーム状に形成されている、この場合には、レンズ部材がドーム状に形成されているので、糸絡みがより生じにくくなる。
【００１０】
発明５に係る中通し竿は、発明２から４のいずれかに記載の竿において、糸案内部には、硬質セラミック製のリング部材が装着されている。この場合には、糸案内部での釣り糸の巻き癖解消時に、釣り糸が糸導入口にスムーズに案内される。
【００１１】
【発明の実施の形態】
図１において、本発明の一実施形態による中通し竿１０は、元竿１１と、元竿１１に振出形式で連結された中間竿１２及び穂先竿１３とを有している。元竿１１、中間竿１２及び穂先竿１３は、それぞれ炭素繊維強化樹脂製のプリプレグをマンドレルに巻回し焼成して得られた先細り筒状部材であり、内部にそれぞれ釣り糸経路１５（図２）が形成されている。
【００１２】
元竿１１の竿尻端部には、尻栓２０が着脱自在に装着されている。また、竿尻部周面には操作用のグリップ２１が配置され、元竿１１の中間部にはリールシート２３が配置されている。元竿１１のリールシート２３竿先側の外周部には略矩形の糸導入口１１ａが形成されている。リールシート２３には、たとえば、スピニングリール２４が装着される。元竿１１の糸導入口１１ａには、カバー部材２５が元竿１１に対して径方向に着脱自在に装着されている。カバー部材２５は、糸導入口１１ａを覆うように滑らかなドーム状に形成されており、リール２４に巻き付けられた釣り糸Ｌを糸導入口１１ａに案内するためのものである。
【００１３】
カバー部材２５は、図２〜図４に詳しく説明するように、糸導入口１１ａに着脱自在に装着された合成樹脂製のカバー本体２６と、カバー部材２６に装着されたクリアカバー２７とを有している。カバー本体２６は、糸導入口１１ａに対向する開口２８と、開口２８の竿尻側に配置され内部を釣り糸が挿通可能な糸案内部２９と、各竿体内部の釣り糸経路１５に連通する一端に形成された連通口３０と、連通口３０と糸案内部２９とを連結する案内経路３１とを有している。カバー本体２６は、糸導入口１１ａを覆って塞ぐように径方向外方から装着可能であり、装着時に元竿１１に着脱方向と逆方向から止めネジ２６ａにより固定される。元竿１１の止めネジ２６ａ取付部分には補強用の厚肉のネジ取付座１１ｂが形成されており、止めネジ２６ａは、ネジ取付座１１ｂに元竿１１を貫通して形成されたネジ穴１１ｃを貫通してカバー本体２６にねじ込まれる。
【００１４】
案内経路３１の底面は連通口３０から糸案内部２９に向けて滑らかに湾曲する案内面３１ａとなっている。連通口３０には硬質リング３２が元竿１１と同芯に嵌め込まれ、糸案内部２９には釣り糸Ｌを、巻き癖を矯正して竿先側に斜め下方に向けて案内するように硬質リング３３が斜めに嵌め込まれている。連通口３０の硬質リング３２の嵌め込み部分の竿先側には、中間竿１２の後端部をふらつくことなく保持するための先広がりテーパ状の後端保持部３４が形成されている。
【００１５】
クリアカバー２７は、案内経路３１の上方に配置された開口２８を覆うように配置された透光性を有する合成樹脂製の部材である。クリアカバー２７の外形はドーム状に形成された滑らかな面である。クリアカバー２７の中心部には凸レンズ形状のレンズ部２７ａが形成されている。このようなクリアカバー２７で開口２８を覆うことで糸導入口１１ａの内部が拡大され、釣り糸を内部に挿通するときに糸通しワイヤや釣り糸をさらに視認しやすくなっている。
【００１６】
また、中間竿１２の後端開口部には筒状の弾性保持体３５がネジ止めされている。弾性保持体３５の後端開口部には硬質リング３６が装着されている。この弾性保持体３５の内部に穂先竿１３の後端部が挿入され保持される。穂先竿１３の先端部には他の部分より大径のトップガイド４０が着脱自在に装着されている（図１）。トップガイド４０は、釣り糸経路１５に導入された釣り糸Ｌを先端から外部に引き出すための部材である。穂先竿１３の後端開口部には硬質リング３７が装着されている。
【００１７】
このように構成された中通し竿１０で、各竿体１１〜１３を伸ばして釣りを行うときには、たとえば穂先竿１３から順に引っ張って中通し竿を所定の長さにして固定する。また、収納時や糸通し時には、穂先竿１３を弾性保持体３５に当接するまで中間竿１２内に縮め、さらに中間竿１２を後端保持部３２に当接するまで元竿１１内に縮めることで、各中子竿体の後端部が連通口３０の竿先側に配置される。
【００１８】
糸通しの際には、この状態で糸通しワイヤを釣り糸の先端に装着しトップガイド４０から釣り糸経路１５に挿入する。そして、糸通しワイヤの先端が連通口３０から出てくると案内経路３１の滑らかな案内面３１ａに案内されて糸案内部２９から導出される。このとき、案内経路３１の上方の開口２８にクリアカバー２７が装着されているので、連通口３０から糸通しワイヤの先端が出てくればそれが拡大され、より確実に視認できる。このため、糸案内部２９に糸通しワイヤをより確実に案内できる。また、逆に糸案内部２９から糸通しワイヤを導入して釣り糸経路１５に挿入する場合にも、視認性がよいため、糸通しワイヤを糸導入口１１ａを経て連通口３０に簡単に挿入できる。しかも、保持体３５や後端保持部３４で中子竿体の後端部が保持されふらつかないので、釣り糸経路１５に確実に挿入できる。
【００１９】
また、カバー部材２５を元竿１１から径方向外方に取り外すとともに尻栓２０を取り外すと、元竿１１内に障害物がなくなりかつ元竿１１の後端部が開口するので、中間竿１２を竿尻側から簡単に取り出すことができる。そして、弾性保持体３５とトップガイド４０とを外して穂先竿１３を中間竿１２から取り出せば、すべての竿体を簡単に分解できる。このため、釣り糸経路１５に砂等の異物が詰まっても内部の清掃が容易である。
【００２０】
さらに、糸導入口１１ａがカバー部材２５で覆われているので、カバー部材２５を滑らかに構成することで、その表面での糸絡みが生じにくくなり、かつ異物が内部に侵入しにくくなる。
また、クリアカバー２７で開口２８が覆われているので、糸導入口１１ａが拡大されて視認性をさらに向上させることができる。
【００２１】
また、糸案内部２９には、硬質セラミック製の硬質リング３３が装着されているので、糸案内部で２９の釣り糸の巻き癖解消時に、釣り糸が糸導入口１１ａにスムーズに案内される。
〔他の実施形態〕
（ａ）  図５及び図６に示すように、カバー部材２５が凸レンズの特性を有していなくてもよい。この実施形態では、糸導入口１１ａを覆うカバー部材２５は、開口２８を有する不透明のカバー本体２６と、開口２８を塞ぐように、カバー本体２６にたとえば接着されたクリアカバー２７とを有している。このクリアカバー２７は、一様な厚みで凹んだ形状の透明樹脂製の部材であり、開口２８を介して糸導入口１１ａを覗けるようになっている。
【００２２】
また、糸導入口１１ａは、元竿１１の竿先側先端部に形成されており、中間竿１２は、元竿１１に振出形式で連結されており、糸通し時には図６に示す糸導入口１１ａの竿先側の位置に配置され、収納時には尻栓２０に竿尻部が保持される。他の構成は前述した実施形態と同様であり、説明を省略する。
（ｂ）  カバー部材の構造は前記実施形態に限定されるものではなく、糸導入口１１ａを覆いかつ少なくとも一部が透光性を有するものであれば、どのような構造でもよい。たとえば、図７に示すように、カバー部材２５を透明樹脂等で一体成形し、糸導入口１１ａを臨む部分をマスクし、それ以外の部分に塗装等の適宜の手段により不透明膜４０を形成するようにしてもよい。このようにすることで、前記同様に糸導入口１１ａを覗けるようになる。
【００２３】
（ｃ）  カバー部材を装着する竿体は元竿に限定されるものではなく、ズーム式の中通し竿では、元竿に伸縮自在に収納される元上竿に装着してもよい。
【００２４】
【発明の効果】
本発明によれば、カバー部材が少なくとも糸導入口に対向し糸導入口を覆う部分が透光性を有しているため、糸導入口の視認性が維持される。しかも、糸導入口がカバー部材で覆われているので、カバー部材を滑らかに構成することで糸絡みが生じにくくなり、かつ異物が内部に侵入しにくくなる。
【図面の簡単な説明】
【図１】本発明の一実施形態による中通し竿の側面図。
【図２】そのカバー部材の断面図。
【図３】カバー部材の平面図。
【図４】図２のIV−IV断面図。
【図５】他の実施形態の図１に相当する図。
【図６】その図２に相当する図。
【図７】別の実施形態の図２に相当する図。
【符号の説明】
１０  中通し竿
１１  元竿
１１ａ  糸導入口
１５  釣り糸経路
２５  カバー部材
２６  カバー本体
２７  クリアカバー
２７ａ  レンズ部
２８  開口
３３  硬質リング
【図１】
0003819088.tif 000002
【図２】
0003819088.tif 000003
【図３】
0003819088.tif 000004
【図４】
0003819088.tif 000005
【図５】
0003819088.tif 000006
【図６】
0003819088.tif 000007
【図７】
0003819088.tif 000008